(57)【要約】      （修正有）【課題】大気中の飛来塩分を自動または簡単な手動操作で正確に捕捉し、かつ高い耐久性を有する飛来塩分捕捉装置および飛来塩分捕捉方法を提供する。【解決手段】飛来塩分捕捉装置１０は大気中に飛散する塩分を捕捉する装置であって、捕捉シート２０と、未使用ロール２０ａと、使用済ロール２０ｃ、繰り出し部３０と、第１収容部４０と、第１開口部と、第１開口部を遮断する第１シャッター４０ｂと、飛来塩分補足部１１０と、巻き取り部５０と、第２収容部６０と、第２開口部と、第２開口部を遮断する第２シャッター６０ｂと、第１収容部４０および第２収容部６０の内部の湿度を調整する、湿度調整機構と、繰り出し部３０および／または巻取り部５０の飛来塩分捕捉時の回転を防止する、回転防止機構とを備え、巻き取り部５０が、第２収容部内６０に収容された、仕切用シート９０を介して大気中に曝された捕捉シート２０ｂを巻き取る。【選択図】図１
2018197670.tif 000002
【特許請求の範囲】
【請求項１】
大気中に飛散する塩分を捕捉する装置であって、
捕捉シートをロール状に巻き取った、未使用ロールと、
前記未使用ロールから前記捕捉シートを繰り出す、繰り出し部と、
前記未使用ロールおよび前記繰り出し部を収容する、第１収容部と、
前記第１収容部から大気中に前記捕捉シートを排出するための第１開口部と、
前記第１開口部を遮断する、第１シャッターと、
前記第１開口部から排出され、前記補足シートを大気中に曝す飛来塩分補足部と、
前記飛来塩分補足部で大気中に曝された前記捕捉シートを巻き取り、使用済ロールを得る、巻き取り部と、
前記使用済みロールおよび前記巻取り部を収容する、第２収容部と、
大気中に曝された前記捕捉シートを前記第２収容部に挿入するための第２開口部と、
前記第２開口部を遮断する、第２シャッターと、
前記第１収容部および前記第２収容部の内部の湿度を調整する、湿度調整機構と、
前記繰り出し部および／または前記巻取り部の飛来塩分捕捉時の回転を防止する、回転防止機構とを備え、
前記巻き取り部が、前記第２収容部内に収容された、仕切用シートを介して大気中に曝された前記捕捉シートを巻き取る、
飛来塩分捕捉装置。
【請求項２】
前記湿度調整機構が、
乾燥ガスを供給する乾燥ガス供給機構を有する、
請求項１に記載の飛来塩分捕捉装置。
【請求項３】
前記乾燥ガス供給機構が、
乾燥ガス導入部と乾燥ガス排出部とを備える乾燥ガス流通部を備え、
前記乾燥ガス流通部が、
前記第１収容部および前記第２収容部と導通している、
請求項２に記載の飛来塩分捕捉装置。
【請求項４】
前記乾燥ガス供給機構が、
大気中から回収した空気を除塩する、除塩部と、
前記除塩した空気を除湿する、除湿部とを備える、
請求項２または３に記載の飛来塩分捕捉装置。
【請求項５】
さらに、前記捕捉シートの移動距離を測定する、移動距離測定機構を備える、
請求項１〜請求項４のいずれかに記載の飛来塩分捕捉装置。
【請求項６】
前記移動距離測定部が、
前記捕捉シートの排出位置を規制する第１ガイドロールおよび／または前記捕捉シートの挿入位置を規制する第２ガイドロールを備え、前記第１ガイドロールおよび／または前記第２ガイドロールの回転数に基づいて、前記捕捉シートの移動距離を測定する、
請求項５に記載の飛来塩分捕捉装置。
【請求項７】
さらに、前記捕捉シートの大気中の暴露時間に基づいて、前記捕捉シートの移動、ならびに、前記第１シャッターおよび第２シャッターの動作を制御する、制御部を備える、
請求項１〜６のいずれかに記載の飛来塩分捕捉装置。
【請求項８】
請求項１〜７のいずれかに記載の飛来塩分捕捉装置を用いて、下記の工程（１）〜（３）を順に行う、飛来塩分捕捉方法。
（１）前記未使用ロールから繰り出した前記捕捉シートを所定距離移動させ、停止させることにより、未使用の捕捉シートを大気中に曝すとともに、大気中に曝された使用済みの捕捉シートを前記使用済ロールに巻き取る工程、
（２）前記第１シャッターおよび前記第２シャッターを閉じる工程、
（３）所定時間経過後、前記第１シャッターおよび前記第２シャッターを開ける工程。
【発明の詳細な説明】
【技術分野】
【０００１】
本発明は、飛来塩分捕捉装置および飛来塩分捕捉方法に関する。
【背景技術】
【０００２】
耐食鋼材または防食材料の開発にあたり、曝露される環境における材料の劣化調査とともに、同環境を把握することが必要となる。一般的な大気環境においては、温度、湿度および飛来塩分が鋼材の腐食に大きく影響することが知られており、飛来塩分の評価においては国内ではドライガーゼ法（JIS Z 2382）または土研式、海外ではウェットキャンドル式が一般的である。
【０００３】
上記方法はいずれも、曝露環境にガーゼ、鋼製容器等を一定期間設置し、定期的にガーゼ、容器等内を水洗して回収した水の塩分濃度を計測して、飛来塩分を測定し、あわせてガーゼ、容器等を交換するものである。これらの方法は、回収作業が人力によって行われるが、回収頻度を高くすると労力・人件費ともにアップする。特に、遠隔地などでは大きな問題となる。従って、通常は１カ月毎またはそれ以上の期間放置し、調査している。
【０００４】
ここで、鋼材の腐食は、その表面が曝された環境に依存する。そして、環境条件は、季節によって大きく変化するが、それだけではなく、週単位、日単位、さらには時単位でも変化する。例えば、台風等で海風が強い時には、たった数時間あるいは１日で１カ月分の塩分が（ガーゼなどに）付着することもあれば、降雨等により洗い流されることもある。よって、本来、環境は連続的、または短時間毎に計測する必要がある。
【０００５】
特許文献１では、大気中に飛散している塩分を捕獲可能である素材が連なった帯状の飛来塩分捕獲体を用いて、その一部が曝露するように保持し、定期的に、飛来塩分捕獲体の使用済み部分を巻き取る飛来塩分捕獲装置に関する発明が開示されている。特許文献１の発明によれば、飛来塩分を捕獲する素材の交換を自動若しくは簡単な操作により実施できると共に、捕獲期間の異なる塩分が混ざり合わないように、使用済の素材を保管できるとされている。
【先行技術文献】
【特許文献】
【０００６】
【特許文献１】特許第６０００９９７号公報
【発明の概要】
【発明が解決しようとする課題】
【０００７】
特許文献１の発明では、捕捉シートの未使用ロールを収容する上段保持部および使用済みロールを収容する下段保持部のそれぞれの開口が大きく開かれているため、暴露試験中に、上段保持部および下段保持部の内部に大気が侵入することになり、このときに大気中の塩分が捕捉シートに付着し、塩分の捕捉量が実際とは異なる値となり、正確な塩分量の測定ができなくなる。さらには、上段保持部および下段保持部の内部に侵入した塩分が各種機械部品、計測機器、制御装置などに付着してしまうので、降雨等により高湿度環境になった場合、上段保持部および下段保持部の内部に侵入した塩分が潮解し、捕捉シートに付着した塩分が流失する、制御装置などの電子部品や金属製の部品が腐食し故障するなどの問題が生じる場合がある。また、風が吹くなどして、捕捉シートが揺れ動き、弛みが生じることがある。
【０００８】
図５は、補足シートに弛みが生じた状態を示す図である。回転防止機構を有しない装置の場合、飛来塩分捕捉時に風の影響で、未使用ロール２０ａから補足シート２０が想定外に繰り出されるか、使用済ロール２０ｃから補足シート２０が巻き戻されて、図５に示すように、飛来塩分捕捉部１１０において捕捉シート２０ｂに弛みが生じた状態になることがある。このように、飛来塩分捕捉部１１０において捕捉シート２０ｂに弛みが生じると補足シート２０ｂに付着した飛来塩分量が増減し、正確な飛来塩分の測定ができなくなる。
【０００９】
本発明は、上記の問題を解決するべくなされたものであり、大気中の飛来塩分を自動もしくは簡単な操作により正確に捕捉し、かつ高い耐久性を有する飛来塩分捕捉装置および飛来塩分捕捉方法を提供することを目的としている。
【課題を解決するための手段】
【００１０】
大気中に飛散する塩分を捕捉する装置であって、
捕捉シートをロール状に巻き取った、未使用ロールと、
前記未使用ロールから前記捕捉シートを繰り出す、繰り出し部と、
前記未使用ロールおよび前記繰り出し部を収容する、第１収容部と、
前記第１収容部から大気中に前記捕捉シートを排出するための第１開口部と、
前記第１開口部を遮断する、第１シャッターと、
前記第１開口部から排出され、前記補足シートを大気中に曝す飛来塩分補足部と、
前記飛来塩分補足部で大気中に曝された前記捕捉シートを巻き取り、使用済ロールを得る、巻き取り部と、
前記使用済みロールおよび前記巻取り部を収容する、第２収容部と、
大気中に曝された前記捕捉シートを前記第２収容部に挿入するための第２開口部と、
前記第２開口部を遮断する、第２シャッターと、
前記第１収容部および前記第２収容部の内部の湿度を調整する、湿度調整機構と、
前記繰り出し部および／または前記巻取り部の飛来塩分捕捉時の回転を防止する、回転防止機構とを備え、
前記巻き取り部が、前記第２収容部内に収容された、仕切用シートを介して大気中に曝された前記捕捉シートを巻き取る、
飛来塩分捕捉装置。
【００１１】
前記湿度調整機構は、乾燥空気を供給する乾燥ガス供給部であってもよい。前記乾燥ガス供給機構は、乾燥ガス導入部と乾燥ガス排出部とを備える乾燥ガス流通部を備え、前記乾燥ガス流通部は、前記第１収容部および前記第２収容部と導通していてもよい。前記乾燥ガス供給機構は、大気中から回収した空気を除塩する、除塩部と、前記除塩した空気を除湿する、除湿部とを備えていてもよい。
【００１２】
前記飛来塩分捕捉装置は、さらに、移動距離測定部を備えるものでもよい。前記移動距離測定部は、前記捕捉シートの排出位置を規制する第１ガイドロールおよび／または前記捕捉シートの挿入位置を規制する第２ガイドロールを備え、前記第１ガイドロールおよび／または前記第２ガイドロールの回転数に基づいて、前記捕捉シートの移動距離を測定するものでもよい。
【００１３】
前記飛来塩分捕捉装置は、さらに、前記捕捉シートの大気中の暴露時間に基づいて、前記捕捉シートの移動、ならびに、前記第１シャッターおよび第２シャッターの動作を制御する、制御部を備えるものでもよい。
【００１４】
本実施形態に係る飛来塩分捕捉方法は、前記飛来塩分捕捉装置を用いて、下記の工程（１）〜（３）を順に行う、
（１）前記未使用ロールから繰り出した前記捕捉シートを所定距離移動させ、停止させることにより、未使用の捕捉シートを大気中に曝すとともに、大気中に曝された使用済みの捕捉シートを前記使用済ロールに巻き取る工程、
（２）前記第１シャッターおよび前記第２シャッターを閉じる工程、
（３）所定時間経過後、前記第１シャッターおよび前記第２シャッターを開ける工程。
【発明の効果】
【００１５】
本発明によれば、飛来塩分捕捉時以外は、未使用ロールの繰り出し部および使用済みロール巻取り部の回転が防止されているため、風による捕捉シートの弛みを防止できるとともに、飛来塩分捕捉時には、未使用ロールおよび使用済みロールの収容部が外部環境から遮断されており、その収容部内には湿度調整機構を備えているため、捕捉前後の捕捉シートに余分な塩分が付着せず、捕捉シートに付着した塩分の潮解も防止できるので、正確な塩分の捕捉および計測が可能である。また、湿度調整機構は計測機器部分も乾燥するため、装置内部に進入した飛来塩分による装置の故障を防止することが可能であるため、自動または簡単な操作で長期にわたって信頼性の高い飛来塩分の計測が可能である。
【図面の簡単な説明】
【００１６】
【図１】図１は、本実施形態に係る飛来塩分捕捉装置を示す上面図である。
【図２】図２は、本実施形態に係る飛来塩分捕捉装置を示す側面図である。
【図３】図３は、本実施形態に係る飛来塩分捕捉装置の第１シャッターを示す図である。（ａ）第１シャッターを設置する前の第１収容部を示す図、（ｂ）第１シャッターを開口した状態を示す図、（ｃ）第１シャッターを閉口した状態を示す図
【図４】図４は、他の実施形態に係る飛来塩分捕捉装置の第１シャッターを示す図である。（ａ）第１シャッターを設置する前の第１収容部を示す図、（ｂ）第１シャッターを開口した状態を示す図、（ｃ）第１シャッターを閉口した状態を示す図
【図５】図５は、補足シートに弛みが生じた状態を示す図である。
【発明を実施するための形態】
【００１７】
以下、図１〜図４を用いて、本実施形態に係る飛来塩分捕捉装置１０を説明する。
【００１８】
図１および図２に示すように、本実施形態に係る飛来塩分捕捉装置１０は、大気中に飛散する塩分を捕捉する装置であって、捕捉シート２０と、未使用ロール２０ａと、使用済ロール２０ｃ、繰り出し部３０と、第１収容部４０と、第１開口部４０ａと、第１シャッター４０ｂと、飛来塩分補足部１１０と、巻き取り部５０と、第２収容部６０と、第２開口部６０ａと、第２シャッター６０ｂと、湿度調整機構（図示省略）と、回転防止機構（図示省略）と、を備える。
【００１９】
捕捉シート２０は、大気中に飛散する塩分を捕捉するための帯状のシートであり、高い非伸縮性と耐水性および飛来塩分に対する高い耐食性を有するものであればよく、例えば、高い非伸縮性を有するガーゼ、耐水性を有する紙、プラスチックなどの樹脂シート、ステンレスやチタンなどの金属薄板などを用いることができる。
【００２０】
捕捉シート２０は、ロール状に巻き取られた未使用ロール２０ａとして、繰り出し部３０に取り付けられ、その先端部分を数回転分巻き取ったロール芯（図示省略）が巻き取り部５０に取り付けられる。この状態で、繰り出し部３０は、未使用ロール２０ａから捕捉シート２０を繰り出し、巻き取り部５０は、大気中に曝された捕捉シート２０ｂを巻き取り、使用済ロール２０ｃを得る。
【００２１】
第１収容部４０は、未使用ロール２０ａおよび繰り出し部３０を収容している。そして第１収容部４０には、第１収容部４０内から大気中に捕捉シート２０を排出するための第１開口部４０ａが設けられ、第１開口部４０ａには第１シャッター４０ｂが設けられている。一方、第２収容部６０は、使用済みロール２０ｃおよび巻取り部５０を収容している。そして、第２収容部６０には、飛来塩分補足部１１０において大気中に曝された捕捉シート２０ｂを第２収容部６０内に挿入するための第２開口部６０ａが設けられ、第２開口部６０ａには第２シャッター６０ｂが設けられている。
【００２２】
図３には、本実施形態に係る飛来塩分捕捉装置の第１シャッター４０ｂの動作を説明する図である。基本的に、第１シャッター４０ｂおよび第２シャッター６０ｂの動作は共通しているので、ここでは、第１シャッター４０ｂの動作の説明をする。なお、図３は、第１シャッター４０ｂを第１収容部４０の外部から見た図である。
【００２３】
図３（ａ）および図３（ｂ）に示すように、第１シャッター４０ｂは、例えば、第１収容部４０の外部に、その開口部４０ａを覆うように取り付けられる。そして、図３（ｂ）に示す例では、第１シャッター４０ｂは、枠４１と、枠４１内部に遮蔽部４２および一対のバネ群４３を備える。遮蔽部４２は、一対の遮蔽板４５と、各遮蔽板４５に取り付けられ、相互に向かい合う帯状の弾性体４４とを備える。一対の弾性体４４の隙間には、捕捉シート２０が導通可能な状態で配置されている。弾性体４４の素材は、例えば、捕捉シート２０を傷つけることなく、開口部４０ａを遮蔽できるものであればよく、例えば、ゴムなどを用いることができる。また遮蔽板４５、枠４１の素材は外部の大気環境に対する耐久性の高い素材が好ましく、例えばステンレスなどの高耐食性金属やプラスチック、セラミクス等を用いることができる。また、バネ群４３は、開口部４０ｂを開閉するためのものであるため、ゴムなどの弾性体で代替することも可能である。バネの素材は外部の大気環境に対する耐久性の高い素材を用いるほか、そのような素材を用いない場合は枠４１の内側は外気を遮断する構成とすることもできる。
【００２４】
図３（ｂ）に示すように、捕捉シート２０を移送するときには、駆動装置（図示省略）によって、バネ群４３の力に反する方向に力を付与して、一対の遮蔽板４５に取り付けられた弾性体４４に一定の隙間を設けた状態とする。この状態で、未使用ロール２０ａから繰り出した捕捉シート２０を所定距離移動させることが可能である。一方、図３（ｃ）に示すように、捕捉シート２０の移送を停止し、飛来塩分捕捉部（図１および図２の符号１１０）において大気中の塩分の捕捉を開始する際には、駆動装置（図示省略）による力の付与を停止すると、バネ４３の力によって、一対の弾性体４４同士の隙間を狭くし、開口部４０ａを遮蔽することが可能である。
【００２５】
図４には、他の実施形態に係る飛来塩分捕捉装置の第１シャッター４０ｂの動作を説明する図である。図３示す例と同様、基本的に、第１シャッター４０ｂおよび第２シャッター６０ｂの動作は共通しているので、ここでは、第１シャッター４０ｂの動作の説明をする。なお、図４は、第１シャッター４０ｂを第１収容部４０の外部から見た図である。
【００２６】
図４（ａ）および図４（ｂ）に示すように、第１シャッター４０ｂは、例えば、第１収容部４０の外部に、その開口部４０ａを覆うように取り付けられる。そして、図４（ｂ）に示す例では、第１シャッター４０ｂは、遮蔽部４２および一対の遥動部４６を備える。遮蔽部４２は、一対の遮蔽板４５と、各遮蔽板４５に取り付けられ、相互に向かい合う帯状の弾性体４４を備える。一対の弾性体４４の隙間には、捕捉シート２０が導通可能な状態で配置されている。弾性体４４の素材は、例えば、捕捉シート２０を傷つけることなく、開口部４０ａを遮蔽できるものであればよく、例えば、ゴムなどを用いることができる。
【００２７】
図４（ｂ）に示すように、捕捉シート２０を移送するときには、駆動装置（図示省略）によって、一対の遮蔽部４２の軸方向と、一対の遥動部４６の軸方向とが直交するような状態とする。この状態で、未使用ロール２０ａから繰り出した捕捉シート２０を所定距離移動させることが可能である。一方、図４（ｃ）に示すように、捕捉シート２０の移送を停止し、飛来塩分捕捉部（図１および図２の符号１１０）において大気中の塩分の捕捉を開始する際には、駆動装置（図示省略）によって、一対の遥動部４６を回転させ、一対の遮蔽部４２の弾性体４４同士の隙間を狭くし、開口部４０ａを遮蔽することが可能である。
【００２８】
なお、図３および図４に示す例では、第１シャッター４０ｂが、第１収容部４０の外部に、その開口部４０ａを覆うように取り付けられているが、このような例に限定されない。第１シャッター４０ｂが、第１収容部４０の内部に、その開口部４０ａを覆うように取り付けられているものでもよい。第２シャッター６０ｂも同様である。
【００２９】
本実施形態に係る飛来塩分捕捉装置１０は、このような構成を有しているので、大気中の塩分の捕捉中に、第１収容部４０および第２収容部６０内への外気の侵入を遮断することができるので、第１収容部４０および第２収容部６０内での塩分の付着を防止できるので、実際の環境に応じた塩分の捕捉が可能であり、正確な飛来塩分濃度の測定が可能である。また、第１収容部４０、第２収容部６０およびハウジング８０内の各種機械部品、計測機器、制御装置などの故障を防止することが可能である。
【００３０】
本実施形態に係る飛来塩分捕捉装置１０は、さらに、第１収容部４０および第２収容部６０の内部の湿度を調整する、湿度調整機構を備えていてもよい。湿度調整機構としては、第１収容部４０および第２収容部６０の内部の湿度を低下させる機構であれば特に制約はなく、例えば、シリカゲルなどの吸湿材を設置しても良い。また、乾燥した空気や窒素、アルゴン等の乾燥ガスを供給する乾燥ガス供給機構であってもよい。
【００３１】
例えば、図１および図２に示すように、乾燥ガス供給機構は、別途設けられたガスボンベなどの乾燥ガス供給部から（図示省略）ハウジング８０、第１収容部４０、第２収容部６０に供給・排出される。すなわち乾燥ガス供給部から乾燥ガス導入部８１ａを通じてハウジング８０に乾燥ガスを供給し、ハウジング８０内部から、第１収容部４０、第２収容部６０にも供給され、ハウジング８０に設けられた逆止弁を備える乾燥ガス排出部８１ｂから大気中に排出される。ハウジング８０には、繰り出し部３０のモータ、巻取り部５０のモータ、仕切りシート繰り出し部９０ｂのモータ、回転計１００、制御装置などが設置される。
【００３２】
よって、乾燥ガス導入部８１ａから導入された乾燥ガス（図中のＤ）は、乾燥ガス流通部を兼ねるハウジング８０、第１収容部４０および第２収容部６０内を流通し（図中の矢印）、これらの内部の湿度を一定以下に制限することが可能であり、第１収容部４０、第２収容部６０およびハウジング８０内の各種機械部品、計測機器、制御装置などの故障を防止することが可能である。また、乾燥ガス導入部８１ａから導入された乾燥ガスによって、第１収容部４０、第２収容部６０およびハウジング８０内部を乾燥するので第１収容部４０、第２収容部６０およびハウジング８０内に多少の飛来塩分が侵入したとしてもその量は少なく、侵入した塩分の潮解を防止するため正確な飛来塩分測定が可能である。第１シャッター４０ｂおよび第２シャッター６０ｂの閉口時および開口時にかかわらず常に乾燥ガスを供給した場合には、第１収容部４０、第２収容部６０およびハウジング８０の内圧が外気よりも高い状態にすることができ、第１シャッター４０ｂおよび第２シャッター６０ｂが開口しているときの外気の侵入をさらに確実に防止することができる。なお、運転時のエネルギーコストを抑制する場合には、乾燥ガスは、第１シャッター４０ｂおよび第２シャッター６０ｂの開口時または閉口時のいずれかのみに導入することもできる。
【００３３】
乾燥ガス供給機構８０は、ガスボンベを用いてもよく、大気中から回収した空気を除塩部（図示省略）で水中を流通させて除塩した後に、除湿部（図示省略）によって除湿した、乾燥ガスを供給するものであってもよい。乾燥ガス排出部８１ｂから回収したガスを繰り返し除塩部、除湿部に供給して、再生した乾燥ガスを供給してもよい。
【００３４】
巻き取り部５０は、内蔵されたモータの回転力により捕捉シート２０ｂを巻き取る。繰り出し部３０は、内蔵されたモータの回転力により捕捉シート２０を繰り出す構成であってもよいが、モータを内蔵せず、巻き取り部５０のモータによる引張力によって捕捉シート２０が繰り出される構成であってもよい。
【００３５】
回転防止機構（図示省略）は、飛来塩分捕捉時に繰り出し部３０および／または巻取り部５０が回転するのを防止する。前述の通り、飛来塩分捕捉部１１０において捕捉シート２０ｂに弛みが生じると（図５参照）、補足シート２０ｂに付着する飛来塩分量が増減し、正確な飛来塩分の測定ができなくなる。
【００３６】
このため、本実施形態に係る飛来塩分捕捉装置は、回転防止機構（図示省略）を備えることとしている。これにより、捕捉シートの弛みを防止することができる。回転防止機構としては、例えば、繰り出し部３０および／または巻取り部５０に設けた、正方向と逆方向で形状を変えた歯車と歯止め（爪）とを備えるラチェット機構である。回転防止機構としては、また、第１シャッターおよび第２シャッターが閉じたときに、捕捉シート２０を挟持して、その移動を抑止するものでもよい。回転防止機構としては、さらに、第１ガイドロール７０ａ、第２ガイドロール７０ｂが、飛来塩分捕捉時以外に、捕捉シート２０を保持して、その移動を防止することとしてもよい。その他、回転防止機構（図示省略）としては、繰り出し部３０および／または巻取り部５０の回転を防止して、捕捉シートの弛みを防止することができる機構であれば、制約はない。
【００３７】
巻き取り部５０によって巻き取られる捕捉シート２０の表面には大気中から捕捉した塩分が付着しているが、使用済ロール２０ｃとして巻き取られる際に、別の部位に転移すると、補足シート２０ｂに付着する飛来塩分量が増減し、その後に正確な塩分の測定ができない場合がある。このため、巻き取り部５０は、第２収容部６０内に収容された仕切用シートロール９０ａから仕切用シート繰り出し部９０ｂによって繰り出した仕切り用シート９０を介して、大気中に曝された捕捉シート２０ｂを巻き取るものがよい。
【００３８】
本実施形態に係る飛来塩分捕捉装置１０は、さらに、捕捉シート２０の排出位置を規制する第１ガイドロール７０ａおよび／または捕捉シート２０の挿入位置を規制する第２ガイドロール７０ｂを備えていてもよい。そして、捕捉シート２０の移動距離を測定する、移動距離測定機構を備えるものでもよい。例えば、第１ガイドロール７０ａおよび／または第２ガイドロール７０ｂに回転計１００を設置することができ、測定された回転数から捕捉シート２０の移動距離を測定してもよいし、補足シートに設けた印をカメラやレーザーセンサーなどで計測するものでもよい。このように捕捉シート２０の移動距離を測定する、移動距離測定機構を備えることで、捕捉シート２０の移動距離を正確に測定することができる。
【００３９】
本実施形態に係る飛来塩分捕捉装置１０は、さらに、捕捉シート２０の大気中の暴露時間に基づいて捕捉シート２０の移動、ならびに、第１シャッター４０ｂおよび第２シャッター６０ｂの動作を制御する、制御部（図示省略）を備えるのがよい。また、制御部は、事前に設定した制御プログラムを実行させるものであってもよいし、通信部を備え、遠隔操作が可能なものであってもよい。以下、本実施形態に係る飛来塩分捕捉装置１０の動作について説明する。
【００４０】
本実施形態に係る飛来塩分捕捉装置１０においては、まず、捕捉シート２０がロール状に巻き取られた未使用ロール２０ａとして、繰り出し部３０に取り付けられる。補足シートの先端部分がロール芯（図示省略）に数回転分巻き取られた状態で、巻き取り部５０に取り付けられる。そして、図３（ｂ）に示すように、第１シャッター４０ｂおよび第２シャッター６０ｂを閉口し、第１開口部４０ａおよび第２開口部６０ａを遮断し、この状態で大気中に曝して塩分を補足する。この暴露時間は、目的に応じて設定すればよい。例えば、数時間単位、日単位、週単位など自由に設定することが可能である。
【００４１】
そして、所定の暴露時間が経過した後は、本実施形態に係る飛来塩分捕捉装置１０が、下記の工程（１）〜（３）を順に動作するよう制御して、連続的に飛来塩分の捕捉を行う。
【００４２】
（１）未使用ロール２０ａから繰り出した捕捉シート２０を所定距離移動させ、飛来塩分補足部１１０において停止させることにより、未使用の捕捉シート２０を大気中に曝すとともに、大気中に曝された使用済みの捕捉シート２０ｂを使用済ロール２０ｃに巻き取る工程、
（２）第１シャッター４０ｂおよび第２シャッター４０ｂを閉じる工程、
（３）所定時間経過後、前記第１シャッターおよび第２シャッターを開けて、前記捕捉シートを開放する工程。
【００４３】
上記（１）の工程においては、未使用ロール２０ａから繰り出した捕捉シート２０の未使用部分が第１シャッター４０ｂと第２シャッター６０ｂの間に配置されるように移動させ、停止させる。これにより、捕捉シート２０の未使用部分が大気中に曝される。このとき、飛来塩分補足部１１０において大気中に曝された使用済みの捕捉シート２０ｂが同時に使用済ロール２０ｃに巻き取られる。
【００４４】
上記（２）の工程において、第１シャッター４０ｂおよび第２シャッター６０ｂを閉じて、第１開口部４０ａおよび第２開口部６０ａを遮断し、この状態で所定の時間放置することで、飛来塩分補足部１１０において捕捉シート２０が大気中に暴露される。これにより、飛来塩分捕捉時には、未使用ロールおよび使用済みロールの収容部が外部環境から遮断されており、その収容部内には湿度調整機構を備えているため、捕捉前後の捕捉シートに余分な塩分が付着せず、捕捉シートに付着した塩分の潮解も防止できるので、正確な塩分の捕捉および計測が可能である。また、湿度調整機構は計測機器部分も乾燥するため、装置内部に進入した飛来塩分による装置の故障を防止することが可能であるため、自動または簡単な操作で長期にわたって信頼性の高い飛来塩分の計測が可能である。
【００４５】
上記（３）の工程において、所定の暴露時間が経過した後に、第１シャッター４０ｂおよび第２シャッター６０ｂを開けて、捕捉シート２０を開放し、上記（１）の工程を行うことにより、連続的な飛来塩分の捕捉が可能となる。
【００４６】
本実施形態に係る飛来塩分捕捉装置１０は、例えば、雨の侵入を防止できる、屋根付きの場所や、百葉箱内に設置できる。また、未使用ロール２０ａと使用済ロール２０ｃとの相対的な位置には制約がなく、これらが水平方向となるように設置しても良いし、鉛直方向となるように設置しても良い。また、それぞれの軸が水平方向となるように設置しても良いし、鉛直方向となるように設置しても良い。
【産業上の利用可能性】
【００４７】
本発明によれば、飛来塩分捕捉時以外は、未使用ロールの繰り出し部および使用済みロール巻取り部の回転が防止されているため、風による捕捉シートの弛みを防止できるとともに、飛来塩分捕捉時には、未使用ロールおよび使用済みロールの収容部が外部環境から遮断されており、その収容部内には湿度調整機構を備えているため、捕捉前後の捕捉シートに余分な塩分が付着せず、捕捉シートに付着した塩分の潮解も防止できるので、正確な塩分の捕捉および計測が可能である。また、湿度調整機構は計測機器部分も乾燥するため、装置内部に進入した飛来塩分による装置の故障を防止することが可能であるため、自動または簡単な操作で長期にわたって信頼性の高い飛来塩分の計測が可能である。
【符号の説明】
【００４８】
１０  本実施形態に係る飛来塩分捕捉装置
２０  捕捉シート
２０ａ  未使用ロール
２０ｂ  大気中に曝された捕捉シート
２０ｃ  使用済ロール
３０  繰り出し部
３０ａ  張力付与部
４０  第１収容部
４０ａ  第１開口部
４０ｂ  第１シャッター
４１  枠
４２  遮蔽部
４３  バネ群
４４  弾性体
４５  遮蔽板
４６  遥動部
５０  巻き取り部
５０ａ  張力付与部
６０  第２収容部
６０ａ  第２開口部
６０ｂ  第２シャッター
７０ａ  第１ガイドロール
７０ｂ  第２ガイドロール
８０  ハウジング
８１ａ  乾燥ガス導入部
８１ｂ  乾燥ガス排出部
９０  仕切用シート
９０ａ  仕切用シートロール
９０ｂ  仕切用シート繰り出し部
１００  回転計
１１０  飛来塩分捕捉部
【図１】
2018197670.tif 000003
【図２】
2018197670.tif 000004
【図３】
2018197670.tif 000005
【図４】
2018197670.tif 000006
【図５】
2018197670.tif 000007